(57)【特許請求の範囲】
【請求項１】
撮像装置による撮像により得られた画像データを記憶する記憶部を具備するサーバと、前記サーバと通信ネットワークを介して通信可能に接続され、表示部を具備するクライアント端末とを用いて、農作物の購入の予約を行う農作物購入予約方法において、
前記撮像装置が、生育中の農作物を撮像する撮像工程を実行し、
前記サーバが、
前記撮像装置による撮像の結果得られた画像データを当該撮像装置から受け付け、その受け付けた画像データを前記記憶部に記憶する第１記憶工程と、
前記生育中の農作物について予約済であるか否かを示す予約状況情報を前記記憶部に記憶する第２記憶工程と、
前記記憶部に記憶されている画像データに含まれる農作物の生育状態に基づいて、当該農作物の予約が可能か否かを判定する予約可否判定工程と、
前記クライアント端末からの要求に応じて、前記記憶部に記憶されている画像データに前記予約可否判定工程による判定結果及び前記記憶部に記憶されている予約状況情報を付与し、その判定結果及び予約状況情報が付与された画像データを当該クライアント端末に対して送信する画像データ送信工程とを実行し、
前記クライアント端末が、
前記サーバから送信された画像データを受信し、その受信した画像データを前記表示部に表示する表示工程と、
前記表示部に表示された画像データに含まれる農作物の購入の予約に関する予約情報を受け付け、その受け付けた予約情報を前記サーバへ送信する予約情報送信工程とを実行する
ことを特徴とする、農作物購入予約方法。
【請求項２】
前記撮像工程において、前記撮像装置が、生育中の農作物を、時間を隔てて繰り返し撮像し、
前記予約可否判定工程において、前記サーバが、前記記憶部に記憶されている複数の画像データに基づいて農作物の生育状態を判断し、その判断した結果に応じて当該農作物の予約が可能か否かを判定する、請求項１に記載の農作物購入予約方法。
【請求項３】
同一の苗に複数の農作物が存在する場合、前記予約可否判定工程において、前記サーバが、当該複数の農作物のそれぞれについて予約が可能か否かを各別に判定する、請求項１又は２に記載の農作物購入予約方法。
【請求項４】
同一の苗に複数の農作物が存在する場合、前記予約可否判定工程において、前記サーバが、農作物について予約が可能か否かを苗毎に判定する、請求項１又は２に記載の農作物購入予約方法。
【請求項５】
前記画像データ送信工程において、前記サーバが、前記記憶部に記憶されている画像データに含まれる農作物の生育状況に関する生育状況情報を当該画像データに付与し、その生育状況情報が付与された画像データを送信する、請求項１乃至４の何れかに記載の農作物購入予約方法。
【請求項６】
前記サーバが、前記生育状況情報に基づいて購入に適した農作物を特定する特定工程をさらに実行し、
前記画像データ送信工程において、前記サーバが、前記記憶部に記憶されている画像データに前記特定工程による特定結果を付与し、その特定結果が付与された画像データを送信する、請求項５に記載の農作物購入予約方法。
【請求項７】
撮像装置による撮像により得られた画像データを記憶する記憶部を具備するサーバと、前記サーバと通信ネットワークを介して通信可能に接続されるクライアント端末とを備え、前記サーバと前記クライアント端末との間で通信を行うことにより農作物の購入の予約を行う農作物購入予約システムにおいて、
前記サーバが、
撮像装置による撮像の結果得られた生育中の農作物の画像データ及び当該生育中の農作物について予約済であるか否かを示す予約状況情報を記憶する記憶部と、
前記記憶部に記憶されている画像データに含まれる農作物の生育状態に基づいて、当該農作物の予約が可能か否かを判定する予約可否判定手段と、
前記クライアント端末からの要求に応じて、前記記憶部に記憶されている画像データに前記予約可否判定手段による判定結果及び前記記憶部に記憶されている予約状況情報を付与し、その判定結果及び予約状況情報が付与された画像データを当該クライアント端末に対して送信する画像データ送信手段と
を具備し、
前記クライアント端末が、
前記サーバから送信された画像データを受信し、その受信した画像データを表示する表示部と、
前記表示部に表示された画像データに含まれる農作物の購入の予約に関する予約情報を受け付け、その受け付けた予約情報を前記サーバへ送信する予約情報送信手段と
を具備することを特徴とする、農作物購入予約システム。
【請求項８】
撮像装置による撮像の結果得られた生育中の農作物の画像データ及び当該生育中の農作物について予約済であるか否かを示す予約状況情報を記憶する記憶部と、
前記記憶部に記憶されている画像データに含まれる農作物の生育状態に基づいて、当該農作物の予約が可能か否かを判定する予約可否判定手段と、
外部の装置からの要求に応じて、前記記憶部に記憶されている画像データに前記予約可否判定手段による判定結果及び前記記憶部に記憶されている予約状況情報を付与し、その判定結果及び予約状況情報が付与された画像データを当該外部の装置に対して送信する画像データ送信手段と、
前記外部の装置から、前記画像データ送信手段によって送信された画像データに含まれる農作物の購入の予約に関する予約情報を受け付ける予約受付手段と
を備える、農作物購入予約装置。
【請求項９】
前記記憶部が、前記撮像装置によって時間を隔てて繰り返し行われる撮像の結果得られた生育中の農作物の複数の画像データを記憶するように構成されており、
前記予約可否判定手段が、前記記憶部に記憶されている複数の画像データに基づいて農作物の生育状況を判断し、その判断した結果に応じて当該農作物の予約が可能か否かを判定するように構成されている、請求項８に記載の農作物購入予約装置。
【請求項１０】
前記予約可否判定手段が、同一の苗に複数の農作物が存在する場合に、当該複数の農作物について予約が可能か否かを各別に判定するように構成されている、請求項８又は９に記載の農作物購入予約装置。
【請求項１１】
前記予約可否判定手段が、同一の苗に複数の農作物が存在する場合に、農作物について予約が可能か否かを苗毎に判定するように構成されている、請求項８又は９に記載の農作物購入予約装置。
【請求項１２】
前記画像データ送信手段が、前記記憶部に記憶されている画像データに含まれる農作物の生育状況に関する生育状況情報を当該画像データに付与し、その生育状況情報が付与された画像データを送信するように構成されている、請求項８乃至１１の何れかに記載の農作物購入予約装置。
【発明の詳細な説明】
【技術分野】
【０００１】
本発明は、各種の農作物の購入を予約する農作物購入予約方法に関し、特に収穫前であって生育中の農作物の購入を予約する農作物購入予約方法、並びにその方法を実施するための農作物購入予約システム及び農作物購入予約装置に関する。
【背景技術】
【０００２】
近年、インターネットが急速に普及していることに伴って、インターネットを利用した農作物の販売システムが種々提案されている。例えば、特許文献１には、商品情報、商品履歴情報及び生産環境情報を掲示することができる商品掲示サーバとクライアント端末とを備え、クライアント端末が商品掲示サーバにアクセスし、商品掲示サーバが掲示する商品情報、商品履歴情報及び生産環境情報に基づいて商品を選択して注文することができる販売システムが開示されている。この販売システムによれば、購入者は、商品情報に加えて、商品履歴情報及び生産環境情報をも参照することができるため、生産現場の臨場感を得ながら商品注文を行うことができる。
【０００３】
また、特許文献２には、インターネットを介して、農作物の出荷状態を示す商品見本となる商品画像データと、農作物の播種日から出荷日までを表す生産計画データとを購入者に提供し、その購入者から注文を受け付ける販売システムが開示されている。この販売システムによれば、購入者の希望する量及び希望する日等の各種購入条件に対応した生産計画を立てることができるため、農作物の受注生産を実現することが可能になる。
【先行技術文献】
【特許文献】
【０００４】
【特許文献１】特開２００３−２５６６７９号公報
【特許文献２】特開２００５−７８２３８号公報
【発明の概要】
【発明が解決しようとする課題】
【０００５】
上述したような従来の販売システムによれば、インターネットを用いて農作物の注文を行うことができるため、購入者は販売地に出向くことなく農作物の購入を予約することができる。しかしながら、これらの販売システムにおいては、購入者は商品見本となる画像等を確認するのみであって、実際に購入する農作物を確認した上で購入の予約をすることはできない。そのため、後日購入者の下に届けられた農作物と購入者が予約の際に想像していた農作物とが大きく異なる場合がある等の不都合が生じるという問題があった。
【０００６】
このような不都合を解消するために、購入者の下に実際に届けられる収穫後の農作物そのものを画像等で提示する販売システムも考えられるが、この場合では収穫から購入者に届けられるまでの期間が長くなってしまうため、新鮮な状態の農作物を提供することができないという問題がある。
【０００７】
本発明は斯かる事情に鑑みてなされたものであり、その主たる目的は、インターネット等の通信技術を用いて、収穫前であって生育中の農作物の購入を予約することができる農作物購入予約方法、並びにその方法を実施するための農作物購入予約システム及び農作物購入予約装置を提供することにある。
【課題を解決するための手段】
【０００８】
上述した課題を解決するために、本発明の一の態様の農作物購入予約方法は、撮像装置による撮像により得られた画像データを記憶する記憶部を具備するサーバと、前記サーバと通信ネットワークを介して通信可能に接続され、表示部を具備するクライアント端末とを用いて、農作物の購入の予約を行う農作物購入予約方法において、前記撮像装置が、生育中の農作物を撮像する撮像工程を実行し、前記サーバが、前記撮像装置による撮像の結果得られた画像データを当該撮像装置から受け付け、その受け付けた画像データを前記記憶部に記憶する第１記憶工程と、前記生育中の農作物について予約済であるか否かを示す予約状況情報を前記記憶部に記憶する第２記憶工程と、前記記憶部に記憶されている画像データに含まれる農作物の生育状態に基づいて、当該農作物の予約が可能か否かを判定する予約可否判定工程と、前記クライアント端末からの要求に応じて、前記記憶部に記憶されている画像データに前記予約可否判定工程による判定結果及び前記記憶部に記憶されている予約状況情報を付与し、その判定結果及び予約状況情報が付与された画像データを当該クライアント端末に対して送信する画像データ送信工程とを実行し、前記クライアント端末が、前記サーバから送信された画像データを受信し、その受信した画像データを前記表示部に表示する表示工程と、前記表示部に表示された画像データに含まれる農作物の購入の予約に関する予約情報を受け付け、その受け付けた予約情報を前記サーバへ送信する予約情報送信工程とを実行する。
【０００９】
前記態様の農作物購入予約方法の前記撮像工程において、前記撮像装置が、生育中の農作物を所定の時間間隔で繰り返し撮像し、前記予約可否判定工程において、前記サーバが、前記記憶部に記憶されている複数の画像データに基づいて農作物の生育状況を判断し、その判断した結果に応じて当該農作物の予約が可能か否かを判定するようにしてもよい。
【００１０】
また、前記態様の農作物購入予約方法の前記予約可否判定工程において、同一の苗に複数の農作物が存在する場合、前記サーバが、当該複数の農作物について予約が可能か否かを各別に判定するようにしてもよい。
【００１１】
また、前記態様の農作物購入予約方法の前記予約可否判定工程において、同一の苗に複数の農作物が存在する場合、前記サーバが、農作物について予約が可能か否かを苗毎に判定するようにしてもよい。
【００１２】
また、前記態様の農作物購入予約方法の前記画像データ送信工程において、前記サーバが、前記記憶部に記憶されている画像データに含まれる農作物の生育状況に関する生育状況情報を当該画像データに付与し、その生育状況情報が付与された画像データを送信するようにしてもよい。
【００１３】
また、前記態様の農作物購入予約方法において、前記サーバが、前記生育状況情報に基づいて購入に適した農作物を特定する特定工程をさらに実行し、前記画像データ送信工程において、前記サーバが、前記記憶部に記憶されている画像データに前記特定工程による特定結果を付与し、その特定結果が付与された画像データを送信するようにしてもよい。
【００１４】
本発明の一の態様の農作物購入予約システムは、撮像装置による撮像により得られた画像データを記憶する記憶部を具備するサーバと、前記サーバと通信ネットワークを介して通信可能に接続されるクライアント端末とを備え、前記サーバと前記クライアント端末との間で通信を行うことにより農作物の購入の予約を行う農作物購入予約システムにおいて、  前記サーバが、撮像装置による撮像の結果得られた生育中の農作物の画像データ及び当該生育中の農作物について予約済であるか否かを示す予約状況情報を記憶する記憶部と、前記記憶部に記憶されている画像データに含まれる農作物の生育状態に基づいて、当該農作物の予約が可能か否かを判定する予約可否判定手段と、前記クライアント端末からの要求に応じて、前記記憶部に記憶されている画像データに前記予約可否判定手段による判定結果及び前記記憶部に記憶されている予約状況情報を付与し、その判定結果及び予約状況情報が付与された画像データを当該クライアント端末に対して送信する画像データ送信手段とを具備し、前記クライアント端末が、前記サーバから送信された画像データを受信し、その受信した画像データを表示する表示部と、前記表示部に表示された画像データに含まれる農作物の購入の予約に関する予約情報を受け付け、その受け付けた予約情報を前記サーバへ送信する予約情報送信手段とを具備する。
【００１５】
また、本発明の一の態様の農作物購入予約装置は、撮像装置による撮像の結果得られた生育中の農作物の画像データ及び当該生育中の農作物について予約済であるか否かを示す予約状況情報を記憶する記憶部と、前記記憶部に記憶されている画像データに含まれる農作物の生育状態に基づいて、当該農作物の予約が可能か否かを判定する予約可否判定手段と、外部の装置からの要求に応じて、前記記憶部に記憶されている画像データに前記予約可否判定手段による判定結果及び前記記憶部に記憶されている予約状況情報を付与し、その判定結果及び予約状況情報が付与された画像データを当該外部の装置に対して送信する画像データ送信手段と、前記外部の装置から、前記画像データ送信手段によって送信された画像データに含まれる農作物の購入の予約に関する予約情報を受け付ける予約受付手段とを備える。
【００１６】
前記態様の農作物購入予約装置において、前記記憶部が、前記撮像装置によって時間を隔てて繰り返し行われる撮像の結果得られた生育中の農作物の複数の画像データを記憶するように構成されており、前記予約可否判定手段が、前記記憶部に記憶されている複数の画像データに基づいて農作物の生育状況を判断し、その判断した結果に応じて当該農作物の予約が可能か否かを判定するように構成されていてもよい。
【００１７】
また、前記態様の農作物購入予約装置において、前記予約可否判定手段が、同一の苗に複数の農作物が存在する場合に、当該複数の農作物について予約が可能か否かを各別に判定するように構成されていてもよい。
【００１８】
また、前記態様の農作物購入予約装置において、前記予約可否判定手段が、同一の苗に複数の農作物が存在する場合に、農作物について予約が可能か否かを苗毎に判定するように構成されていてもよい。
【００１９】
また、前記態様の農作物購入予約装置において、前記画像データ送信手段が、前記記憶部に記憶されている画像データに含まれる農作物の生育状況に関する生育状況情報を当該画像データに付与し、その生育状況情報が付与された画像データを送信するように構成されていてもよい。
【発明の効果】
【００２０】
本発明に係る農作物購入予約方法、農作物購入予約システム及び農作物購入予約装置によれば、生育中の農作物の購入を予約することができるため、購入者は新鮮な状態の農作物を得ることが可能になる。
【図面の簡単な説明】
【００２１】
【図１】本発明の実施の形態１に係る農作物購入予約システムの構成を示すブロック図。
【図２】本発明の実施の形態１に係る予約サーバの構成を示すブロック図。
【図３】農作物を撮像するカメラの設置態様を示す斜視図。
【図４】本発明の実施の形態１に係る予約サーバに設けられている会員情報データベースのレイアウトの一例を示す図。
【図５】本発明の実施の形態１に係る予約サーバに設けられている苗情報データベースのレイアウトの一例を示す図。
【図６】本発明の実施の形態１に係る予約サーバに設けられている苗予約情報データベースのレイアウトの一例を示す図。
【図７】本発明の実施の形態１に係る予約サーバに設けられている画像情報データベースのレイアウトの一例を示す図。
【図８】本発明の実施の形態１に係る予約サーバが実行する苗情報更新処理の手順を示すフローチャート。
【図９】本発明の実施の形態１に係る予約サーバが実行する予約可否判定処理の手順を示すフローチャート。
【図１０】本発明の実施の形態１に係る予約サーバ及びクライアント端末が実行する予約受付処理の手順を示すフローチャート。
【図１１】本発明の実施の形態１に係るクライアント端末が具備する表示部に表示される画面の一例を示す図。
【図１２】本発明の実施の形態２に係る予約サーバの構成を示すブロック図。
【図１３】本発明の実施の形態２に係る予約サーバに設けられている実情報データベースのレイアウトの一例を示す図。
【図１４】本発明の実施の形態２に係る予約サーバに設けられている実予約情報データベースのレイアウトの一例を示す図。
【図１５】本発明の実施の形態２に係る予約サーバに設けられている画像情報データベースのレイアウトの一例を示す図。
【図１６】本発明の実施の形態２に係る予約サーバが実行する実情報更新処理の手順を示すフローチャート。
【図１７】本発明の実施の形態２に係る予約サーバが実行する予約可否判定処理の手順を示すフローチャート。
【図１８】本発明の実施の形態２に係る予約サーバ及びクライアント端末が実行する予約受付処理の手順を示すフローチャート。
【図１９】本発明の実施の形態２に係るクライアント端末が具備する表示部に表示される画面の一例を示す図。
【発明を実施するための形態】
【００２２】
以下、本発明の好ましい実施の形態について、図面を参照しながら説明する。なお、以下に示す実施の形態は、本発明の技術的思想を具体化するための方法及び装置を例示するものであって、本発明の技術的思想は下記のものに限定されるわけではない。本発明の技術的思想は、特許請求の範囲に記載された技術的範囲内において種々の変更を加えることができる。
【００２３】
（実施の形態１）
［農作物購入予約システムの構成］
図１は、本発明の実施の形態１に係る農作物購入予約システムの構成を示すブロック図である。図１に示すとおり、本実施の形態の農作物購入予約システムは、ユーザから農作物の購入の予約を受け付ける予約サーバ１と、ユーザが操作するパーソナルコンピュータおよび携帯型電話機などのクライアント端末２，２，…とを備えている。
【００２４】
予約サーバ１は、インターネット１００を介してクライアント端末２，２，…と通信可能に接続されており、クライアント端末２，２，…との間で様々なデータの送受信を行う。クライアント端末２，２，…には液晶ディスプレイなどの表示部が設けられており、予約サーバ１から受信した画像データなどの情報が当該表示部に表示される。また、予約サーバ１は、後述するように農園に設けられた複数のカメラ３，３，…と専用線等を介して通信可能に接続されており、複数のカメラ３，３，…から画像データを受信する。これらのカメラ３，３，…は、ＣＣＤ（Charge Coupled Device）又はＣＭＯＳ（Complementary
Metal Oxide Semiconductor）等の撮像素子で構成されている。
【００２５】
以下、上記の予約サーバ１の構成の詳細について説明する。
図２は、本発明の実施の形態１に係る予約サーバ１の構成を示すブロック図である。図２に示すとおり、本実施の形態の予約サーバ１は、各種のデバイスの動作を制御する制御部としてのＣＰＵ１０と、そのＣＰＵ１０に接続された主記憶装置１１、補助記憶装置１２、通信インタフェース（Ｉ／Ｆ）１３及び入出力インタフェース（Ｉ／Ｆ）１４とを備えている。なお、これらのＣＰＵ１０、主記憶装置１１、補助記憶装置１２、通信Ｉ／Ｆ１３及び入出力Ｉ／Ｆ１４はバスによって接続されている。
【００２６】
ＣＰＵ１０は、補助記憶装置１２に記憶されているコンピュータプログラムを実行する。これにより、予約サーバ１は、各種のデバイスの動作を制御しながら、後述する各種の処理を実行することが可能になる。
【００２７】
主記憶装置１１は、ＳＲＡＭまたはＤＲＡＭ等によって構成されており、補助記憶装置１２に記憶されているコンピュータプログラムの読み出しに用いられる。また、主記憶装置１１は、ＣＰＵ１０がコンピュータプログラムを実行するときに、ＣＰＵ１０の作業領域としても利用される。
【００２８】
補助記憶装置１２は、フラッシュメモリ又はハードディスクなどの不揮発性記憶装置によって構成されており、ＣＰＵ１０に実行させるための種々のコンピュータプログラム及び当該コンピュータプログラムの実行に用いられるデータ等を記憶している。また、補助記憶装置１２には、会員情報データベース（ＤＢ）１２Ａ、苗情報データベース（ＤＢ）１２Ｂ、苗予約情報データベース（ＤＢ）１２Ｃ及び画像情報データベース（ＤＢ）１２Ｄが設けられている。これらの各データベースの詳細については後述する。
【００２９】
通信Ｉ／Ｆ１３は、通信ネットワークを介して予約サーバ１が外部の装置と通信するためのインタフェース装置である。予約サーバ１は、この通信Ｉ／Ｆ１３を介して、クライアント端末２，２，…との間で各種のデータの送受信を行う。
【００３０】
入出力Ｉ／Ｆ１４は、ＣＰＵ１０と各種の外部装置とを接続するためのインタフェース装置である。この入出力Ｉ／Ｆ１４には、上述した複数のカメラ３，３，…が接続されている。予約サーバ１は、この入出力Ｉ／Ｆ１４を介して、カメラ３，３，…から画像データを受信する。
【００３１】
図３は、カメラ３，３，…の設置態様を示す斜視図である。図３において、符号Ｆは農園を示している。農園Ｆには、複数の畝Ｈ，Ｈ，…が並列状に形成されており、各畝Ｈの長手方向に沿ってキュウリの複数の苗４Ａ，４Ａ，…、トマトの複数の苗４Ｂ，４Ｂ，…、及びナスの複数の苗４Ｃ，４Ｃ，…等が整列して定植されている。このように、本実施の形態では複数の苗が土壌で形成された畝Ｈに定植されているが、本発明はこれに限定されるわけではなく、例えば養液栽培用の栽培ベッド等に定植されていてもよい。また、本実施の形態では農園Ｆ内に複数種類の果菜類の苗が定植されているが、１種類であってもよい。
【００３２】
図３に示すとおり、支柱３Ａによって適宜の高さに固定された２台のカメラ３，３が畝Ｈの長手方向に沿って並設されており、また、同様にして固定された２台のカメラ３，３が畝Ｈ，Ｈ，…の並列方向に沿って並設されている。なお、これらのカメラ３，３，…は、その設置角度が調節可能なように支柱３Ａに取り付けられており、この設置角度を調節することにより撮像範囲を適宜調整することができる。
【００３３】
本実施の形態では４台のカメラ３，３，…が設けられているが、この数に限られるわけではないことは勿論である。また、カメラ３，３，…が設置される位置も図３に示すものに限定されるわけではなく、農園Ｆ内で生育中の農作物を撮像することができる位置に設けられていればよい。
【００３４】
次に、上記の会員情報ＤＢ１２Ａ、苗情報ＤＢ１２Ｂ、苗予約情報ＤＢ１２Ｃ及び画像情報ＤＢ１２Ｄについて説明する。
図４は、実施の形態１の予約サーバ１に設けられている会員情報ＤＢ１２Ａのレイアウトの一例を示す図である。図４に示すように、会員情報ＤＢ１２Ａは、各会員を識別するための会員ＩＤが格納される会員ＩＤフィールド１０１、各会員の氏名が格納される氏名フィールド１０２、各会員の電子メールアドレスが格納される電子メールアドレスフィールド１０３、及び各会員の住所が格納される住所フィールド１０４を有している。
【００３５】
上述した会員情報ＤＢ１２Ａに格納される情報は、本実施の形態の農作物購入予約システムを利用するための事前登録の際に各利用者から受け付けた内容に基づいて生成される。この事前登録を済ませた利用者は、本実施の形態の農作物購入予約システムを利用して農作物の購入の予約を行うことができる会員となる。
【００３６】
図５は、実施の形態１の予約サーバ１に設けられている苗情報ＤＢ１２Ｂのレイアウトの一例を示す図である。図５に示すように、苗情報ＤＢ１２Ｂは、各苗を識別するための苗ＩＤが格納される苗ＩＤフィールド１１１、各苗に係る農作物の名称が格納される農作物名フィールド１１２、各苗の播種日が格納される播種日フィールド１１３、各苗が結実しているか否かを示す情報が格納される結実フィールド１１４、各苗の生育状態を示す情報が格納される状態フィールド１１５、各苗の収穫適期が格納される収穫適期フィールド１１６、各苗の予約が可能か否かを示す情報が格納される予約可否フィールド１１７、各苗が予約されているか否かを示す情報が格納される予約状況フィールド１１８、及び購入の予約が推奨される苗であるか否かを示す情報が格納される推奨フィールド１１９を有している。
【００３７】
なお、本実施の形態では、苗が結実していない場合には結実フィールド１１４に“０”が格納され、結実している場合にはその実の数を示す値が結実フィールド１１４に格納される。また、状態フィールド１１５には、苗の生育状態に応じて、“良好”、“普通”及び“不良”の何れかの情報が格納される。さらに、推奨フィールド１１９には、推奨される場合に“○”が格納され、推奨されない場合に“×”が格納される。
【００３８】
上述した苗情報ＤＢ１２Ｂに格納される情報は、カメラ３，３，…により取得された画像データに基づいて適宜更新される。その処理の詳細については後述する。
【００３９】
図６は、実施の形態１の予約サーバ１に設けられている苗予約情報ＤＢ１２Ｃのレイアウトの一例を示す図である。図６に示すように、苗予約情報ＤＢ１２Ｃは、会員によりなされた各予約を識別するための予約ＩＤが格納される予約ＩＤフィールド１２１、各予約がなされた日時が格納される予約日時フィールド１２２、各予約を行った会員の会員ＩＤが格納される会員ＩＤフィールド１２３、各予約がなされた苗の苗ＩＤが格納される苗ＩＤフィールド１２４、及び各予約がなされた苗の収穫適期が格納される収穫適期フィールド１２５を有している。
【００４０】
上述した苗予約情報ＤＢ１２Ｃに格納される情報は、会員が予約をする都度更新される。その処理の詳細については後述する。
【００４１】
画像情報ＤＢ１２Ｄには、カメラ３，３，…が農園Ｆ内を撮像することにより得られた農作物を含む画像データが格納される。カメラ３，３，…は、予め設定された時間間隔（例えば、３時間毎等）で繰り返し撮像処理を実行する。そして、その結果得られた複数の画像データが、撮像日時及び撮像範囲に含まれている１又は複数の苗の苗ＩＤ等の情報と共に、画像情報ＤＢ１２Ｄに格納される。具体的には、図７に示すようにして格納されている。
【００４２】
図７は、実施の形態１の予約サーバ１に設けられている画像情報ＤＢ１２Ｄのレイアウトの一例を示す図である。図７に示すように、画像情報ＤＢ１２Ｄは、各画像データを識別するための画像ＩＤが格納される画像ＩＤフィールド１３１、各画像データの撮像日時が格納される撮像日時フィールド１３２、補助記憶装置１２における画像データの記憶位置を示す情報が格納される画像データフィールド１３３、及び画像データに含まれている苗の苗ＩＤが格納される苗ＩＤフィールド１３４を有している。なお、この図７に示す例では、苗ＩＤフィールド１３４に苗ＩＤが一つのみ格納されているが、撮像範囲に複数の苗が含まれている場合には複数の苗ＩＤが格納されることになる。画像データと苗ＩＤとの対応付けは、画像データの内容をオペレータが確認する等しながら人手で行ってもよく、各カメラ３の撮像範囲等に基づいて予め定められていてもよい。また、所定の画像処理を実行することによって予約サーバ１が自動的に行ってもよい。
【００４３】
［農作物購入予約システムの動作］
次に、上述したように構成された農作物購入予約システムの動作について、フローチャート等を参照しながら説明する。なお、本実施の形態の農作物購入予約システムが実行する主な処理には、（１）苗情報の更新を行うための苗情報更新処理、（２）その苗情報更新処理の中で実行される予約可否判定処理、及び（３）農作物の購入の予約を受け付けるための予約受付処理がある。以下では、これらの各処理の詳細について説明する。
【００４４】
（１）苗情報更新処理
図８は、実施の形態１の予約サーバ１が実行する苗情報更新処理の手順を示すフローチャートである。なお、以下の苗情報更新処理は、例えばカメラ３，３，…による撮像処理が実行される都度等、所定のタイミングで繰り返し実行される。
【００４５】
予約サーバ１はまず、苗情報更新処理の対象となる苗の苗ＩＤを所定のルール（例えば番号の小さい順等）にしたがって決定する（Ｓ１０１）。次に、予約サーバ１は、画像情報ＤＢ１２Ｄにアクセスし、処理対象とした苗の苗ＩＤが含まれている画像情報を読み出す（Ｓ１０２）。これにより、例えば直近１０回の撮像処理により得られた１０個の画像データを取得する。なお、ここでの「１０」は例示であり、その他の数であってもよいことは言うまでもない。ただし、後述するように画像データの比較処理を行うためには２個以上の画像データが必要になる。
【００４６】
次に、予約サーバ１は、取得した１０個の画像データを比較する処理を実行する（Ｓ１０３）。これにより、処理対象の苗及び当該苗になっている実の大きさの時間変化を測定することができ、その時間変化に基づいて当該苗及び実の生長度合いを算出することができる。
【００４７】
さらに、予約サーバ１は、最も新しい画像データに対して所定の画像処理を施すことによって画像データの解析を行う（Ｓ１０４）。この画像データの解析によって、処理対象の苗が結実しているかどうか、結実している場合では実が何個存在するか、苗になっている実の色が異常ではないかどうか、苗の葉の色が異常ではないかどうか等を確認することができる。
【００４８】
次に、予約サーバ１は、処理対象の苗の購入の予約が可能であるか否かを判定する予約可否判定処理を実行する（Ｓ１０５）。この予約判定処理の詳細については後述する。
【００４９】
予約可否判定処理を終えた予約サーバ１は、上記のステップＳ１０３乃至Ｓ１０５により得られた情報に基づいて苗情報ＤＢ１２Ｂを更新する（Ｓ１０６）。具体的には、ステップＳ１０３の結果得られた苗及び実の生長度合いに関する情報、並びにステップＳ１０４の結果確認することができた苗の実及び葉の色に関する情報等に基づいて、苗の生育状態を３段階にランク付けする。例えば、農作物の種類毎に苗及び実の生長度合い並びに実及び葉の色に関するデータを記憶しておき、そのデータと比較すること等によってランク付けを行う。ここで、ランクが高い順に“良好”、“普通”、“不良”と判定し、状態フィールド１１５にその情報を格納する。また、ステップＳ１０４の結果確認することができた苗の結実に関する情報を結実フィールド１１４に格納する。さらに、ステップＳ１０５において予約が可能であるか否かが判定された場合にそのことを示す情報を予約可否フィールド１１７に格納し、推奨される苗であるか否かが判定された場合にそのことを示す情報を推奨フィールド１１９に格納する。
【００５０】
次に、予約サーバ１は、農園Ｆ内のすべての苗について苗情報更新処理を実行したか否かを判定する（Ｓ１０７）。ここで、まだ処理対象となっていない苗が存在すると判定した場合（Ｓ１０７でＮＯ）、予約サーバ１はステップＳ１０１に戻り、それ以降のステップＳ１０２乃至Ｓ１０６を実行する。他方、すべての苗について苗情報更新処理が行われたと判定した場合（Ｓ１０７でＹＥＳ）、予約サーバ１は処理を終了する。
【００５１】
（２）予約可否判定処理
図９は、実施の形態１の予約サーバ１が実行する予約可否判定処理の手順を示すフローチャートである。予約サーバ１は、苗情報ＤＢ１２Ｂの予約状況フィールド１１８に格納されている情報を参照し、処理対象の苗が予約済みではないか否かを判定する（Ｓ１１１）。ここで予約済みではないと判定した場合（Ｓ１１１でＹＥＳ）、予約サーバ１は、苗情報更新処理のステップＳ１０４によって確認された処理対象の苗の結実に関する情報に基づいて、２以上の実がなっているか否かを判定する（Ｓ１１２）。ここで２以上の実がなっていると判定した場合（Ｓ１１２でＹＥＳ）、予約サーバ１は、苗情報更新処理のステップＳ１０３及びＳ１０４によって確認された処理対象の苗の生育状態に関する情報に基づいて、生育状態が“不良”ではないかどうかを判定する（Ｓ１１３）。
【００５２】
ステップＳ１１３において生育状態が“不良”ではないと判定した場合（Ｓ１１３でＹＥＳ）、予約サーバ１は、当該苗は購入の予約をすることが可能な苗であると判定する（Ｓ１１４）。他方、ステップＳ１１１で予約済みであると判定した場合（Ｓ１１１でＮＯ）、ステップＳ１１２で２以上の実がなっていないと判定した場合（Ｓ１１２でＮＯ）又はステップＳ１１３で生育状態が“不良”であると判定した場合（Ｓ１１３でＮＯ）、予約サーバ１は、当該苗は購入の予約をすることができない苗であると判定し（Ｓ１１５）、処理をリターンする。
【００５３】
ステップＳ１１４を実行した後、予約サーバ１は、苗情報更新処理のステップＳ１０３及びＳ１０４によって確認された処理対象の苗の生育状態に関する情報に基づいて、生育状態が“良好”であるか否かを判定する（Ｓ１１６）。ここで“良好”ではない（つまり“普通”である）と判定した場合（Ｓ１１６でＮＯ）、予約サーバ１は処理をリターンする。これに対し、生育状態が“良好”であると判定した場合（Ｓ１１６でＹＥＳ）、予約サーバ１は、当該苗を予約推奨の苗であると判定し（Ｓ１１７）、処理をリターンする。
【００５４】
上記の（１）苗情報更新処理及び（２）予約可否判定処理の結果、苗情報ＤＢ１２Ｂに最新の内容が反映されることになる。このようにして更新された苗情報ＤＢ１２Ｂの内容に基づいて、次の（３）予約受付処理が実行される。
【００５５】
（３）予約受付処理
図１０は、実施の形態１の予約サーバ１及びクライアント端末２が実行する予約受付処理の手順を示すフローチャートである。なお、下記の予約受付処理を行うためには、会員登録を済ませている会員が、クライアント端末２を用いて予約サーバ１にアクセスして所定の会員認証処理による認証を受けなければならない。以下では、この会員認証処理が終了した後の処理を説明する。
【００５６】
図１０に示すとおり、クライアント端末２は、会員からの指示にしたがって、農園Ｆ内で生育中の苗が含まれている画像データの送信を要求するための画像送信要求を予約サーバ１に対して送信する（Ｓ１２１）。
【００５７】
予約サーバ１は、クライアント端末２から送信された画像送信要求を受信した場合（Ｓ１３１）、画像情報ＤＢ１２Ｄにアクセスし、直近の撮像処理により得られた画像データが含まれている画像情報を読み出す（Ｓ１３２）。また、予約サーバ１は、苗情報ＤＢ１２Ｂにアクセスし、ステップＳ１３２にて読み出した画像情報に含まれている画像データ中の苗についての苗情報を読み出す（Ｓ１３３）。
【００５８】
次に、予約サーバ１は、クライアント端末２にて表示される画面に関する画面情報を生成する。具体的には、ステップＳ１３２にて読み出した画像情報に含まれている画像データ、ステップＳ１３３にて読み出した苗情報に含まれている農作物名・播種日・生育状態・収穫適期・推奨に関する生育状況情報、及び同じく苗情報に含まれている予約可否に関する予約可否情報を含む画面情報を生成する（Ｓ１３４）。予約サーバ１は、このようにして生成された画面情報をクライアント端末２に対して送信する（Ｓ１３５）。
【００５９】
クライアント端末２は、予約サーバ１から送信された画面情報を受信した場合（Ｓ１２２）、その受信した画面情報を表示部に表示する（Ｓ１２３）。
図１１は、クライアント端末２の表示部に表示される画面の一例を示す図である。図１１に示すとおり、この画面には、複数の苗が含まれる画像と、それらの画像中の苗と対応付けて表される当該苗に関する各種の情報とが表示されている。この苗に関する各種の情報として、図１１に示す画面例では、農作物名、播種日、収穫適期、生育状態、予約の可否、予約済みであるか否か、及び推奨される苗であるか否かに関する情報が表示されている。
【００６０】
図１１に示す画面例には、「予約する」という文字が付されたチェックボックスが予約可能な苗毎に設けられている。会員が購入の予約を希望する場合は、クライアント端末２を用いてこのチェックボックスにチェックを入れた上で、画面下部に設けられている送信ボタンをクリックする。これにより苗の購入の予約をするための苗購入予約情報の入力がなされたことになる。クライアント端末２は、会員から苗購入予約情報の入力を受け付けた場合（Ｓ１２４）、その苗購入予約情報を予約サーバ１に対して送信する（Ｓ１２５）。
【００６１】
予約サーバ１は、クライアント端末２から送信された苗購入予約情報を受信した場合（Ｓ１３６）、その受信した苗購入予約情報の受信日時、その苗購入予約情報を送信した会員の会員ＩＤ、及びその苗購入予約情報の内容に基づいて、苗予約情報ＤＢ１２Ｃに新たなレコードを作成し、苗予約情報ＤＢ１２Ｃを更新する（Ｓ１３７）。さらに、予約サーバ１は、苗購入予約情報で示されている苗についての苗情報の予約状況フィールド１１８に予約済みであることを示す情報を格納することによって苗情報ＤＢ１２Ｂを更新する（Ｓ１３８）。その後、予約サーバ１は、苗の購入の予約が完了したことを示す苗予約完了情報をクライアント端末２に対して送信する（Ｓ１３９）。
【００６２】
クライアント端末２は、予約サーバ１から送信された苗予約完了情報を受信した場合（Ｓ１２６）、その受信した苗予約完了情報を表示部に表示する（Ｓ１２７）。会員は、このようにして表示されている苗予約完了情報により予約が完了したことを確認することができる。
【００６３】
以上の処理によって、会員は、実際に購入する農作物を画像にて確認した上で当該農作物の購入の予約を行うことが可能になる。その後、予約された苗が収穫適期を迎えたとき等のタイミングで予約された苗になっている実が収穫され、予約者である会員に対して届けられる。または、予約された苗が収穫適期を迎えた頃等に予約者である会員が農園Ｆに出向き、当該苗になっている実を会員自身が収穫するようにしてもよい。これにより、会員は新鮮な状態の農作物を得ることができる。
【００６４】
なお、予約された苗が収穫適期を迎えた場合には会員に対して電子メールを用いてその旨が伝えられる。その際には会員情報ＤＢ１２Ａの電子メールアドレスフィールド１０３に格納されている電子メールアドレスが用いられる。また、予約者である会員に対して収穫された実を届ける際には、会員情報ＤＢ１２Ａの住所フィールド１０４に格納されている住所が用いられる。
【００６５】
（実施の形態２）
実施の形態１の農作物購入予約システムでは苗単位で会員が購入の予約を行っている。これに対し、実施の形態２の農作物購入予約システムでは苗になっている実単位で購入の予約を行う。
【００６６】
［農作物購入予約システムの構成］
本実施の形態の農作物購入予約システムも、実施の形態１の場合と同様に、インターネットを介して通信可能に接続される予約サーバ及びクライアント端末を備えている。また、予約サーバと複数のカメラとが専用線等を介して通信可能に接続されている点についても実施の形態１の場合と同様である。以下、実施の形態２における予約サーバの構成の詳細について説明する。
【００６７】
図１２は、本発明の実施の形態２に係る予約サーバ５の構成を示すブロック図である。図１２に示すとおり、本実施の形態の予約サーバ５が備えている補助記憶装置１２には、実施の形態１における苗情報ＤＢ１２Ｂ及び苗予約情報ＤＢ１２Ｃの代わりに、実情報データベース（ＤＢ）１２Ｅ及び実予約情報データベース（ＤＢ）１２Ｆが設けられている。また、実施の形態１における画像情報ＤＢ１２Ｄとは異なるレイアウトの画像情報ＤＢ１２Ｇが設けられている。なお、予約サーバ５のその他の構成については実施の形態１の場合と同様であるので、同一符号を付して説明を省略する。
【００６８】
図１３は、実施の形態２の予約サーバ５に設けられている実情報ＤＢ１２Ｅのレイアウトの一例を示す図である。図１３に示すように、実情報ＤＢ１２Ｅは、各苗になっている実を識別するための実ＩＤが格納される実ＩＤフィールド２０１、各実に係る苗を識別するための苗ＩＤが格納される苗ＩＤフィールド２０２、農作物の名称が格納される農作物名フィールド２０３、各苗の播種日が格納される播種日フィールド２０４、各実の生育状態を示す情報が格納される状態フィールド２０５、各実の収穫適期が格納される収穫適期フィールド２０６、各実の予約が可能か否かを示す情報が格納される予約可否フィールド２０７、各実が予約されているか否かを示す情報が格納される予約状況フィールド２０８、及び購入の予約が推奨される実であるか否かを示す情報が格納される推奨フィールド２０９を有している。
【００６９】
なお、状態フィールド２０５には、実の生育状態に応じて、“良好”、“普通”及び“不良”の何れかの情報が格納される。さらに、推奨フィールド２０９には、推奨される場合に“○”が格納され、推奨されない場合に“×”が格納される。
【００７０】
上述した実情報ＤＢ１２Ｅに格納される情報は、カメラ３，３，…により取得された画像データに基づいて適宜更新される。その処理の詳細については後述する。
【００７１】
図１４は、実施の形態２の予約サーバ５に設けられている実予約情報ＤＢ１２Ｆのレイアウトの一例を示す図である。図１４に示すように、実予約情報ＤＢ１２Ｆは、会員によりなされた各予約を識別するための予約ＩＤが格納される予約ＩＤフィールド２１１、各予約がなされた日時が格納される予約日時フィールド２１２、各予約を行った会員の会員ＩＤが格納される会員ＩＤフィールド２１３、各予約がなされた実の実ＩＤが格納される実ＩＤフィールド２１４、及び各予約がなされた実の収穫適期が格納される収穫適期フィールド２１５を有している。
【００７２】
上述した実予約情報ＤＢ１２Ｆに格納される情報は、会員が予約をする都度更新される。その処理の詳細については後述する。
【００７３】
図１５は、実施の形態２の予約サーバ１に設けられている画像情報ＤＢ１２Ｇのレイアウトの一例を示す図である。図１５に示すように、画像情報ＤＢ１２Ｇは、各画像データを識別するための画像ＩＤが格納される画像ＩＤフィールド２２１、各画像データの撮像日時が格納される撮像日時フィールド２２２、補助記憶装置１２における画像データの記憶位置を示す情報が格納される画像データフィールド２２３、画像データに含まれている苗の苗ＩＤが格納される苗ＩＤフィールド２２４、及び画像データに含まれている実の実ＩＤが格納される実ＩＤフィールド２２５を有している。なお、この図１５に示す例では、苗ＩＤフィールド１３４及び実ＩＤフィールド２２５のそれぞれに苗ＩＤ及び実ＩＤが一つのみ格納されているが、撮像範囲に複数の苗及び実が含まれている場合には複数の苗ＩＤ及び実ＩＤがそれぞれ格納されることになる。実施の形態１の場合と同様に、画像データと苗ＩＤ及び実ＩＤとの対応付けは、人手で行ってもよく、予約サーバ１が自動的に行ってもよい。
【００７４】
［農作物購入予約システムの動作］
次に、上述したように構成された農作物購入予約システムの動作について、フローチャート等を参照しながら説明する。なお、実施の形態１の場合と同様に、本実施の形態の農作物購入予約システムでも、（１）実情報の更新を行うための実情報更新処理、（２）その実情報更新処理の中で実行される予約可否判定処理、及び（３）予約受付処理の３つの処理が行われる。以下では、これらの各処理の詳細について説明する。
【００７５】
（１）実情報更新処理
図１６は、実施の形態２の予約サーバ５が実行する実情報更新処理の手順を示すフローチャートである。なお、以下の実情報更新処理は、実施の形態１の苗情報更新処理の場合と同様に、所定のタイミングで繰り返し実行される。
【００７６】
予約サーバ５はまず、実情報更新処理の対象となる実の実ＩＤを所定のルール（例えば番号の小さい順等）にしたがって決定する（Ｓ２０１）。次に、予約サーバ５は、画像情報ＤＢ１２Ｄにアクセスし、処理対象とした実の実ＩＤが含まれている画像情報を読み出す（Ｓ２０２）。これにより、例えば直近１０回の撮像処理により得られた１０個の画像データを取得する。
【００７７】
次に、予約サーバ５は、取得した１０個の画像データを比較する処理を実行する（Ｓ２０３）。これにより、処理対象の実及び当該実の大きさの時間変化を測定することができ、その時間変化に基づいて当該実の生長度合いを算出することができる。
【００７８】
さらに、予約サーバ５は、最も新しい画像データに対して所定の画像処理を施すことによって画像データの解析を行う（Ｓ２０４）。この画像データの解析によって、処理対象の実の色が異常ではないかどうか、その実に係る苗の葉の色が異常ではないかどうか等を確認することができる。
【００７９】
次に、予約サーバ５は、処理対象の実の購入の予約が可能であるか否かを判定する予約可否判定処理を実行する（Ｓ２０５）。この予約可否判定処理の詳細については後述する。
【００８０】
予約可否判定処理を終えた予約サーバ５は、上記のステップＳ２０３乃至Ｓ２０５により得られた情報に基づいて実情報ＤＢ１２Ｅを更新する（Ｓ２０６）。具体的には、ステップＳ２０３の結果得られた実の生長度合いに関する情報、及びステップＳ２０４の結果確認することができた実及び苗の色に関する情報等に基づいて、実の生育状態を３段階にランク付けする。ここで、実施の形態１の場合と同様に、ランクが高い順に“良好”、“普通”、“不良”と判定し、状態フィールド２０５にその情報を格納する。また、ステップＳ２０５において予約が可能であるか否かが判定された場合にそのことを示す情報を予約可否フィールド２０７に格納し、推奨される実であるか否かが判定された場合にそのことを示す情報を推奨フィールド２０９に格納する。
【００８１】
次に、予約サーバ５は、農園Ｆ内のすべての苗のすべの実について実情報更新処理を実行したか否かを判定する（Ｓ２０７）。ここで、まだ処理対象となっていない実が存在すると判定した場合（Ｓ２０７でＮＯ）、予約サーバ５はステップＳ２０１に戻り、それ以降のステップＳ２０２乃至Ｓ２０６を実行する。他方、すべての実について実情報更新処理が行われたと判定した場合（Ｓ２０７でＹＥＳ）、予約サーバ５は処理を終了する。
【００８２】
（２）予約可否判定処理
図１７は、実施の形態２の予約サーバ５が実行する予約可否判定処理の手順を示すフローチャートである。予約サーバ５は、実情報ＤＢ１２Ｅの予約状況フィールド２０８に格納されている情報を参照し、処理対象の実が予約済みではないか否かを判定する（Ｓ２１１）。ここで予約済みではないと判定した場合（Ｓ２１１でＹＥＳ）、予約サーバ５は、実情報更新処理のステップＳ２０３及びＳ２０４によって確認された処理対象の実の生育状態に関する情報に基づいて、生育状態が“不良”ではないかどうかを判定する（Ｓ２１２）。
【００８３】
ステップＳ２１２において生育状態が“不良”ではないと判定した場合（Ｓ２１２でＹＥＳ）、予約サーバ５は、当該実は購入の予約をすることが可能な実であると判定する（Ｓ２１３）。他方、ステップＳ２１１で予約済みであると判定した場合（Ｓ２１１でＮＯ）、ステップＳ２１２で生育状態が“不良”であると判定した場合（Ｓ２１２でＮＯ）、予約サーバ５は、当該実は購入の予約をすることができない実であると判定し（Ｓ２１４）、処理をリターンする。
【００８４】
ステップＳ２１３を実行した後、予約サーバ５は、実情報更新処理のステップＳ２０３及びＳ２０４によって確認された処理対象の苗の生育状態に関する情報に基づいて、生育状態が“良好”であるか否かを判定する（Ｓ２１５）。ここで“良好”ではない（つまり“普通”である）と判定した場合（Ｓ２１５でＮＯ）、予約サーバ５は処理をリターンする。これに対し、生育状態が“良好”であると判定した場合（Ｓ２１５でＹＥＳ）、予約サーバ５は、当該実を予約推奨の実であると判定し（Ｓ２１６）、処理をリターンする。
【００８５】
上記の（１）実情報更新処理及び（２）予約可否判定処理の結果、実情報ＤＢ１２Ｅに最新の内容が反映されることになる。このようにして更新された実情報ＤＢ１２Ｅの内容に基づいて、次の（３）予約受付処理が実行される。
【００８６】
（３）予約受付処理
図１８は、実施の形態２の予約サーバ５及びクライアント端末２が実行する予約受付処理の手順を示すフローチャートである。図１８に示すとおり、クライアント端末２は、実施の形態１の場合と同様に画像送信要求を予約サーバ５に対して送信する（Ｓ２２１）。
【００８７】
予約サーバ５は、クライアント端末２から送信された画像送信要求を受信した場合（Ｓ２３１）、実施の形態１の場合と同様に、画像情報ＤＢ１２Ｄにアクセスして画像情報を読み出し（Ｓ２３２）、さらに実情報ＤＢ１２Ｅにアクセスして実情報を読み出す（Ｓ２３３）。
【００８８】
次に、予約サーバ５は、ステップＳ２３２にて読み出した画像情報に含まれている画像データ、ステップＳ２３３にて読み出した実情報に含まれている農作物名・播種日・生育状態・収穫適期・推奨に関する生育状況情報、及び同じく実情報に含まれている予約可否に関する予約可否情報を含む画面情報を生成し（Ｓ２３４）、その画面情報をクライアント端末２に対して送信する（Ｓ２３５）。
【００８９】
クライアント端末２は、予約サーバ１から送信された画面情報を受信した場合（Ｓ２２２）、その受信した画面情報を表示部に表示する（Ｓ２２３）。
図１９は、クライアント端末２の表示部に表示される画面の一例を示す図である。図１９に示すとおり、この画面には、複数の実がなっている苗が含まれる画像と、その苗と対応付けて表される当該苗に関する各種の情報と、画像中の複数の実のそれぞれと対応付けて表される当該実に関する各種の情報とが表示されている。なお、図１９に示す例では、画像中の一部の実についてのみ当該実に関する各種の情報が対応付けられて表示されているが、画像中のすべての実について同様に表示されていてもよい。
【００９０】
図１９に示す画面例では、上記の苗に関する各種の情報として、農作物名及び播種日に関する情報が表示されている。また、上記の実に関する各種の情報として、収穫適期、生育状態、予約の可否、予約済みであるか否か、及び推奨される実であるか否かに関する情報が表示されている。
【００９１】
図１９に示す画面例には、「予約する」という文字が付されたチェックボックスが予約可能な実毎に設けられている。実施の形態１の場合と同様、会員がクライアント端末２を用いてこのチェックボックスにチェックを入れた上で、画面下部に設けられている送信ボタンをクリックすることにより、実の購入の予約をするための実購入予約情報の入力がなされる。クライアント端末２は、会員から実購入予約情報の入力を受け付けた場合（Ｓ２２４）、その実購入予約情報を予約サーバ５に対して送信する（Ｓ２２５）。
【００９２】
予約サーバ５は、クライアント端末２から送信された実購入予約情報を受信した場合（Ｓ２３６）、その受信した実購入予約情報の受信日時、その実購入予約情報を送信した会員の会員ＩＤ、及びその実購入予約情報の内容に基づいて、実予約情報ＤＢ１２Ｆに新たなレコードを作成し、実予約情報ＤＢ１２Ｆを更新する（Ｓ２３７）。さらに、予約サーバ５は、実購入予約情報で示されている実についての実情報の予約状況フィールド２０８に予約済みであることを示す情報を格納することによって実情報ＤＢ１２Ｅを更新する（Ｓ２３８）。その後、予約サーバ５は、実の購入の予約が完了したことを示す実予約完了情報をクライアント端末２に対して送信する（Ｓ２３９）。
【００９３】
クライアント端末２は、予約サーバ５から送信された実予約完了情報を受信した場合（Ｓ２２６）、その受信した実予約完了情報を表示部に表示する（Ｓ２２７）。これにより会員は予約が完了したことを確認することができる。
【００９４】
以上の処理によって、会員は、実際に購入する農作物を画像にて確認した上で当該農作物の購入の予約を行うことが可能になる。その後、予約された実が収穫適期を迎えたとき等のタイミングで予約された実が収穫され、予約者である会員に対して届けられる。または、予約された実が収穫適期を迎えた頃等に予約者である会員が農園Ｆに出向き、当該実を会員自身が収穫するようにしてもよい。これにより、会員は新鮮な状態の農作物を得ることができる。
【００９５】
このように、苗毎ではなく、苗になっている実毎に購入の予約が可能になることによって、少量の購入を希望する会員の要望に対応することが可能になる。また、同じ苗になっている実であっても、その生長度合い及び収穫適期等が異なる場合が多いため、購入に適した実とそうでない実とが混在することが普通であるが、本実施の形態では購入に適した実のみを予約することができるという利点がある。
【００９６】
（その他の実施の形態）
上記の実施の形態１においては苗単位で購入の予約を行い、また実施の形態２では実単位で購入の予約を行っているが、本発明はこれらに限定されるわけではない。例えば、畝単位または農園単位等で購入の予約を行うことも可能である。
【００９７】
図１１及び図１９に示した画面は一例であるため、その他にも様々な画面が考えられる。例えば、入力デバイスのポインタを画像中の苗または実の上に置いたときにのみ当該苗または実に関する各種の情報を表示させるようにしてもよい。
【００９８】
上記の各実施の形態の農作物購入予約システムは、農作物を屋外及び屋内の何れの環境で栽培する場合でも使用することが可能である。いわゆる植物工場においても使用することができ、その場合はカメラの設置及びメンテナンスが容易になる等の利点がある。
【００９９】
上述した各実施の形態は適宜組み合わせることが可能である。したがって、例えば、ある農作物については苗単位で購入の予約を行い、他の農作物については実単位で購入の予約を行うことができるような農作物購入予約システムを実現することも可能である。
【産業上の利用可能性】
【０１００】
本発明の農作物購入予約方法、農作物購入予約システム及び農作物購入予約装置は、インターネット等の通信技術を用いて野菜及び果物などの各種の農作物の購入を予約するための農作物購入予約方法、農作物購入予約システム及び農作物購入予約装置等として有用である。
【符号の説明】
【０１０１】
１  予約サーバ
２  クライアント端末
３  カメラ
３Ａ  支柱
４Ａ，４Ｂ，４Ｃ  苗
５  予約サーバ
１１  主記憶装置
１２  補助記憶装置
１２Ａ  会員情報データベース
１２Ｂ  苗情報データベース
１２Ｃ  苗予約情報データベース
１２Ｄ  画像情報データベース
１２Ｅ  実情報データベース
１２Ｆ  実予約情報データベース
１００  インターネット
【図１】
0005555017.tif 000002
【図２】
0005555017.tif 000003
【図３】
0005555017.tif 000004
【図４】
0005555017.tif 000005
【図５】
0005555017.tif 000006
【図６】
0005555017.tif 000007
【図７】
0005555017.tif 000008
【図８】
0005555017.tif 000009
【図９】
0005555017.tif 000010
【図１０】
0005555017.tif 000011
【図１１】
0005555017.tif 000012
【図１２】
0005555017.tif 000013
【図１３】
0005555017.tif 000014
【図１４】
0005555017.tif 000015
【図１５】
0005555017.tif 000016
【図１６】
0005555017.tif 000017
【図１７】
0005555017.tif 000018
【図１８】
0005555017.tif 000019
【図１９】
0005555017.tif 000020